(57)【要約】【課題】骨材受入ホッパへ投入される骨材が砂か砂利かを直ちに判別できる装置を低コストで得る。【解決手段】電極１ａと１ｂを耐摩耗性樹脂２に封入してセンサＳを形成し、骨材受入ホッパ３の低部内壁面に設置する。センサＳとダイオードＤと負荷抵抗Ｒを交流電源Ｐに直列に接続し、負荷抵抗Ｒの両端にオペアンプ６を介し、このオペアンプ６で増幅された電圧を所定のしきい値と比較して出力のオン、オフを切り換えるコンパレータ５を接続する。コンパレータ５の出力側にランプ７を接続する。砂と砂利では砂の方が誘電率が大きいので、骨材がセンサＳに接触するときの電極１ａ，１ｂ間の静電容量を、負荷抵抗Ｒの両端に生じる電圧へ変換し、これをオペアンプ６で増幅した後、コンパレータ５にてしきい値と比較することで、骨材が砂か砂利かを判別させる。【選択図】        図１
2004301590.tif 000002
【特許請求の範囲】
【請求項１】
骨材受入ホッパの内壁部所要位置に、骨材が砂利又は砂のいずれであるかを検出するセンサを設け、該センサの検出値に基づいて、上記骨材が砂利又は砂のいずれであるかを判別するようにしてなることを特徴とする骨材判別装置。
【請求項２】
センサを、２つの絶縁電極を備えた構成として骨材の誘電率の違いを静電容量として検出するようにし、且つ該センサと負荷抵抗とを交流電源に直列に接続してなる回路を備えて、上記負荷抵抗の両端に生じる電圧を基に骨材が砂利又は砂のいずれであるかを判別するようにした請求項１記載の骨材判別装置。
【請求項３】
負荷抵抗の両端に生じる電圧を、所定のしきい値と比較することにより出力のオン、オフを切り換えるコンパレータを備えた請求項２記載の骨材判別装置。
【発明の詳細な説明】
【０００１】
【発明の属する技術分野】
本発明はコンクリート製造設備における骨材受入ホッパへ投入される骨材が砂利又は砂のいずれであるかを判別するために用いる骨材判別装置に関するものである。
【０００２】
【従来の技術】
一般に、コンクリート製造設備にて生コンクリートの原料としての粗骨材となる砂利や細骨材となる砂は、車両等により上記コンクリート設備へ搬入した後、該搬入された砂利や砂を、それぞれ対応する砂利貯蔵槽と砂貯蔵槽に分別した状態で一旦貯留させるようにしてあり、生コンクリートを製造するときには、上記各貯蔵槽より必要量の砂利や砂をそれぞれバッチャープラントへ適宜供給させて生コンクリート製造に使用するようにしてある。したがって、上記コンクリート製造設備では、車両等により骨材が搬入されるときに、該搬入された骨材が砂利であるか、或いは砂であるかに応じて、それぞれ貯留させるべき貯蔵槽を切り替える必要がある。
【０００３】
このために、図４に示す如く、車両１２等により搬送された骨材１３を受け入れるようにしてある骨材受入ホッパ１４の下流側に、砂利貯蔵槽１５及び砂貯蔵槽１６（図ではそれぞれ２基ずつ備えた場合を示す。）と、上記骨材受入ホッパ１４の下端から上記各貯蔵槽１５，１６の上方に達するように設置してあるベルトコンベヤ１７と、上記各貯蔵槽１５，１６の上側にて、上記ベルトコンベヤ１７にて移送された骨材１３を受けると共に、該骨材１３の移送先（投入先）を上記砂利貯蔵槽１５又は砂貯蔵槽１６のいずれか一つに選択的に切替えることができるようにしてあるシャトルベルトコンベヤ１８とを備えてなる骨材分配機構１１を設け、更に、図示しないが、骨材受入ホッパ１４の近傍位置に該骨材受入ホッパ１４に投入した骨材１３が砂利であるか砂であるかを指示する操作盤が設けてあり、この操作盤上で砂利、砂の指示をすることによりシャトルベルトコンベヤ１８が所定の位置へ移動できるようにしてある。
【０００４】
かかる骨材分配機構１１を用いて砂利と砂を振り分けて貯蔵する場合において、車両１２等より骨材受入ホッパ１４に投入された骨材１３が砂利である場合には、運搬車両の運転者や現場にいる作業者が砂利であることを操作盤で指示することにより、上記骨材分配機構１１のシャトルベルトコンベア１８が、その移送先が砂利貯蔵槽１５となるように配置されることから、上記骨材受入ホッパ１４に受け入れられた砂利を、ベルトコンベヤ１７で移送することにより、シャトルベルトコンベヤ１８より砂利貯蔵槽１５へ投入することができ、又、上記骨材受入ホッパ１４に受け入れられた骨材１３が砂である場合には、同様の指示により上記シャトルベルトコンベヤ１８が、その移送先が砂貯蔵槽１６となるように配置されることから、上記骨材受入ホッパ１４に受け入れられた砂１３を、ベルトコンベヤ１７で移送することによりシャトルベルトコンベヤ１８より砂貯蔵槽１６へ投入することができるようにしてある。
【０００５】
しかし、この場合、作業者の勘違いや操作ミス等により、骨材受入ホッパ１４に実際に投入した骨材１３は砂利であるのに、作業者が操作盤で砂を指示してしまったり、逆に、骨材受入ホッパ１４に実際に投入した骨材１３は砂であるのに、作業者が操作盤で砂利を指示してしまった場合には、砂貯蔵槽１６に砂利が投入されたり、砂利貯蔵槽１５に砂が投入されて砂と砂利が混合されてしまう虞があり、この場合、上記のような砂と砂利の混合物が、気付かれずに貯蔵槽１５，１６よりバッチャプラントへ供給されてしまうと、該バッチャプラントで製造される生コンクリートの品質不良を引き起こしたり、この品質不良の生コンクリートの使用により製造される製品や、施工されるコンクリート工事に欠陥が生じる等の問題を生じる虞がある。又、たとえバッチャプラントへの供給前に砂と砂利との混合に気付いたとしても、上記貯蔵槽１５，１６に投入されている砂利と砂の混合物を分離するには多大な労力及び時間を要するという問題もある。
【０００６】
そのために、上記のような人為的なミスを防止できるように、骨材受入ホッパ１４に受け入れられた骨材１３が、砂利であるか或いは砂であるかを判別する装置を設けることが望まれ、従来、次のようなものが提案されている。
【０００７】
従来提案されている骨材判別装置の１つとしては、たとえば、図５に示す如く、ベルトコンベヤ１９の下流側端部にヘッドシュート２０を設けて該ヘッドシュート２０に振動検出器２１を取り付けたり、或いは、骨材受入ホッパ２２下端に連設して該骨材受入ホッパ２２より上記ベルトコンベヤ１９へ落下供給される骨材をまとめるためのスカート２３、該スカート２３に設けてベルトコンベヤ１９上における骨材の輸送量を調節する輸送量調節部材２４等に、振動検出器２１を取り付けて、上記ヘッドシュート２０や骨材受入ホッパ２２のスカート２３、輸送量調節部材２４を骨材が接触しながら通過するときに、該骨材の接触に伴って上記各部材２０，２３，２４に生じる振動を、上記振動検出器２１で検出し、その振動の大小を基に、骨材受入ホッパ２２より貯蔵槽へ搬送される骨材が砂利であるか砂であるかを判別するようにしたものがある（たとえば、特許文献１参照）。
【０００８】
又、上記砂利や砂等の粒径の異なる粒状物がベルトコンベヤにて搬送されるときに、該粒状物をその粒径に応じて判別できるものとしては、上記ベルトコンベヤにて搬送される粒状物をＣＣＤカメラなどの撮像装置で撮像し、得られた画像データの明暗の階調変化をコンピュータ等の画像処理装置にてフーリエ変換して周波数分布を求め、得られた周波数分布から平均周波数を求めて、該平均周波数により上記粒状物の粒径の大小の判別を行うようにしたものも提案されている（たとえば、特許文献２参照）。
【０００９】
【特許文献１】
特開平８−５７８４０号公報
【特許文献２】
特開平６−１８０２７９号公報
【００１０】
【発明が解決しようとする課題】
ところが、上記特許文献１に示されたものでは、振動検出器２１を、ベルトコンベヤ１９のヘッドシュート２０や、骨材受入ホッパ２２のスカート２３、あるいは、該スカート２３に設けられた輸送量調節部材２４に取り付けた場合には、その構成上、ベルトコンベヤ１９による搬送を開始した後にしか骨材の判別を行なえず、骨材受入ホッパ２２に骨材を投入するタイミングよりも遅れるため、材質の判別に時間を要するという問題がある。一方、振動検出器２１を骨材受入ホッパ２２に設置するようにすれば、該骨材受入ホッパ２２に骨材が投入された時点で骨材受入ホッパ２２に振動が生じるため、この振動を上記と同様に振動検出器２１で検出することにより上記骨材が砂利か砂かの判別を行うことが可能になると考えられるが、この場合、搬送車両より骨材受入ホッパ２２へ骨材を投入するときのホッパ内における骨材の落下位置や搬送車両から骨材を投入する速さ（勢い）等によって該骨材受入ホッパ２２に発生する振動が大きく変化する虞があり、したがって、この振動の変化に伴って、判別結果に間違いが発生する虞が懸念されるという問題がある。
【００１１】
上記特許文献２に示されたものでは、構成上、ＣＣＤカメラ等の撮像装置、コンピュータ等の画像処理装置を必要とするため高価になるという問題がある。
【００１２】
そこで、本発明は、骨材の投入の仕方に影響を受けることなく骨材受入ホッパへ骨材が投入された時点で該骨材が砂利であるか砂であるかの判別ができ、しかも設置コストを安価なものとすることができる骨材判別装置を提供しようとするものである。
【００１３】
【課題を解決するための手段】
本発明は、上記課題を解決するために、骨材受入ホッパの内壁部所要位置に、骨材が砂利又は砂のいずれであるかを検出するセンサを設け、該センサの検出値に基づいて、上記骨材が砂利又は砂のいずれであるかを判別するようにしてなる構成とし、又、このセンサを、２つの絶縁電極を備えた構成として骨材の誘電率の違いを静電容量として検出するようにする。
【００１４】
骨材受入ホッパに骨材が投入されて、該骨材が、センサに近接すると、骨材の誘電率に応じて該各電極間に生じる静電容量が変化する。
【００１５】
この際、砂は砂利に比して粒径が小さく、同容積の砂と砂利とを比較した場合、砂の方が砂利よりも大きな表面積を有することから、砂の含水量（表面水量）は、砂利の含水量よりも大となり、このため砂の誘電率は砂利の誘電率に比して大となる。
【００１６】
したがって、骨材が砂の場合、上記センサの各絶縁電極間に生じる静電容量は、骨材が砂利の場合に比して大となることから、上記絶縁電極間に生じる静電容量の大小を基に、上記骨材投入ホッパに投入された骨材が砂であるか、砂利であるかの判別が行なわれる。
【００１７】
又、センサと負荷抵抗とを交流電源に直列に接続してなる回路を備えて、上記負荷抵抗の両端に生じる電圧を基に骨材が砂利又は砂のいずれであるかを判別するようにした構成とすることにより、骨材の誘電率に基づいてセンサの各絶縁電極間に生じる静電容量を、該静電容量に比例する電圧に変換することができるため、上記静電容量の大小を基にして実施する上記骨材が砂であるか砂利であるかの判定を容易に行うことが可能になる。
【００１８】
更に、負荷抵抗の両端に生じる電圧を、所定のしきい値と比較することにより出力のオン、オフを切り換えるコンパレータを備えた構成とすることにより、骨材の誘電率に基づいてセンサの各絶縁電極間に生じる静電容量に比例するよう変換した電圧を、しきい値と比較して２値化し、出力のオン又はオフとして発現させることができるため、上記静電容量の大小に基づく電気的な信号を取り出すことができることから、上記骨材が砂であるか、砂利であるかに応じて、砂或いは砂利判別用のランプや、コンクリート製造設備における骨材分配機構等を電気的に制御することが可能になる。
【００１９】
【発明の実施の形態】
以下、本発明の実施の形態を図面を参照して説明する。
【００２０】
図１（イ）（ロ）及び図２（イ）（ロ）は本発明の骨材判別装置の実施の一形態を示すものである。
【００２１】
先ず、本発明の骨材判別装置における骨材の判別方法の原理について説明する。
【００２２】
静電容量Ｃ〔Ｆ〕のコンデンサに周波数ｆ〔Ｈｚ〕の交流信号源を接続したとき、該コンデンサのリアクタンスＸｃ〔Ω〕は次の（１）式で表される。
Ｘｃ  ＝  １／（２π・ｆ・Ｃ）  …（１）
このとき、コンデンサを流れる電流ｉ〔Ａ〕は、上記交流信号源の電圧をｖ〔Ｖ〕とすると、次の（２）式で表される。
ｉ  ＝  ｖ／Ｘｃ  ＝  ｖ・２π・ｆ・Ｃ  …（２）
【００２３】
よって、図３に示す如く、交流電源Ｐを未知の静電容量のコンデンサＣを通して負荷抵抗Ｒに接続すると、上記交流電源Ｐの周波数ｆ〔Ｈｚ〕と電圧ｖ〔Ｖ〕が一定であれば、上記コンデンサＣの静電容量に比例した電流ｉ〔Ａ〕が上記負荷抵抗Ｒに流れることになる。したがって、上記負荷抵抗Ｒの抵抗値ｒ〔Ω〕を一定とすれば、該負荷抵抗Ｒの両端に発生する電圧Ｖｏ〔Ｖ〕は、上記コンデンサＣの静電容量に比例することになる。なお、図３の回路では、コンデンサＣと負荷抵抗Ｒの間に整流器としてのダイオードＤを設けて、上記負荷抵抗Ｒの両端に発生する電圧Ｖｏ〔Ｖ〕を直流電圧で計測できるようにしてある。
【００２４】
ところで、コンクリート原料の骨材として用いられる砂利と砂は、構成粒子の粒径が相違し、砂の方が砂利に比して小さい粒径となっている。このため、同容積の砂と砂利とを比較した場合、砂の方が砂利よりも大きな表面積を有することから、一般に、砂の含水量（表面水量）は、砂利の含水量よりも大となり、このため砂と砂利では誘電率に差が生じ、通常、砂の誘電率は砂利の誘電率に比して大となる。したがって、平行板コンデンサの電極（極板）間に砂を配置するときに得られる静電容量と、同じ平行板コンデンサの電極間に砂利を配置したときに得られる静電容量とを比較すると、砂を配置したときに得られる静電容量の方が大となる。
【００２５】
これらのことを鑑みて、本発明の骨材判別装置の実施の一形態は、図１（イ）（ロ）及び図２（イ）（ロ）に示す如き構成としてある。
【００２６】
すなわち、図２（イ）（ロ）に示す如く、２枚の平板状の電極（銅版）１ａ及び１ｂを所要間隔を隔てて並べて配置すると共に、該各電極１ａ及び１ｂを耐摩耗性を備えた樹脂２に水密に封入して上規格電極１ａと１ｂを絶縁してなるセンサ（静電容量検出センサ）Ｓを形成して、該センサＳを、図１（イ）に示す如く、コンクリート製造設備の骨材受入ホッパ３の低部内壁面に、たとえば、ボルト４にて取り外し可能に取り付け、更に、図１（ロ）に示す如く、該センサＳを、図３に示したと同様の回路構成における未知容量のコンデンサＣに代えて設けてなる回路を形成し、更に、負荷抵抗Ｒの両端に、該負荷抵抗Ｒの両端に発生する電圧Ｖｏを、後段のコンパレータ５で比較可能な電圧となるように所要の増幅率で増幅するためのオペアンプ６と、該オペアンプ６にて増幅された出力電圧が、所定のしきい値に達しているか否かにより出力のオン・オフを切替えるコンパレータ５を接続してなる構成としてあり、該コンパレータ５からの出力の有無を表示できるようにするために、たとえば、上記コンパレータ５の出力側に、ランプ７を接続した回路を構成してある。
【００２７】
なお、図３に示したものと同一のものには同一符号が付してある。
【００２８】
本発明の骨材判別装置のセンサＳが取り付けてある骨材受入ホッパ３に対し、車両等によりコンクリート製造設備へ搬送されてきた骨材を投入すると、該骨材受入ホッパ３に投入された骨材は、骨材受入ホッパ３内にてホッパ低部に設置してある上記センサＳに接触させられ、該センサＳの電極１ａ，１ｂに近接配置されるようになる。
【００２９】
この際、上記骨材が砂の場合に上記センサＳの電極１ａ，１ｂ間に得られる静電容量をＣｓとし、このセンサＳにおける静電容量がＣｓとされることに伴って図１（ロ）に示した回路の負荷抵抗Ｒに流れる電流をｉｓ、該負荷抵抗Ｒの両端に発生する電圧をＶｏｓとし、一方、上記骨材が砂利の場合に上記センサＳの電極間に得られる静電容量をＣｇとし、このセンサにおける静電容量がＣｇとされることに伴って上記負荷抵抗Ｒに流れる電流をｉｇ、該負荷抵抗Ｒの両端に発生する電圧をＶｏｇとすると、［  砂の誘電率  ＞  砂利の誘電率  ］であり、同じ電極を用いた場合、誘電率の大きい物質ほど静電容量が大きくなるため、［  Ｃｓ  ＞  Ｃｇ  ］となり、ＶｏｓとＶｏｇはそれぞれ上記ＣｓとＣｇに比例することから、［Ｖｏｓ  ＞  Ｖｏｇ］という関係式が導かれることになるので、該ＶｏｓとＶｏｇをその値の大小に基づき識別できるようにすれば、上記骨材受入ホッパ３に受け入れられた骨材が砂であるか砂利であるかを判別できることとなる。
【００３０】
ここで具体的数値を当てはめてみると、たとえば、
交流電源Ｐの電圧ｖを２〔Ｖ〕、周波数ｆを３００〔ｋＨｚ〕、
センサＳに砂が接触したときの静電容量Ｃｓを１００〔ｐＦ〕、
センサＳに砂利が接触したときの静電容量Ｃｇを１０〔ｐＦ〕、
負荷抵抗Ｒの抵抗値を１〔ｋΩ〕とすると、
センサＳに砂が接触したときに負荷抵抗Ｒに流れる電流値ｉｓは、前述の（２）式より、
2004301590.tif 000003
となり、この場合、負荷抵抗Ｒの両端に発生する電圧Ｖｏｓは、
2004301590.tif 000004
となる。
【００３１】
一方、センサＳに砂利が接触したときに負荷抵抗Ｒに流れる電流値ｉｇは、上記と同様に（２）式より
2004301590.tif 000005
となり、この場合、負荷抵抗Ｒの両端に発生する電圧Ｖｏｇは、
2004301590.tif 000006
となる。
【００３２】
したがって、上記ＶｏｓとＶｏｇを、コンパレータ５にて所定のしきい値と容易に比較できるようにするために、たとえば、増幅率を約１０倍に設定したオペアンプ６にて増幅させると、増幅後のＶ´ｏｓとＶ´ｏｇは、それぞれ、
Ｖ´ｏｓ  ＝  ０．３８×１０  ＝  ３．８〔Ｖ〕
Ｖ´ｏｇ  ＝  ０．０３８×１０  ＝  ０．３８〔Ｖ〕
となる。
【００３３】
このため、たとえば、上記コンパレータ５におけるしきい値を３〔Ｖ〕に設定しておけば、骨材が砂である場合には、Ｖ´ｏｓが上記しきい値を上回り、このためコンパレータ５からの出力がオンとされてランプ７が点灯させられる。一方、骨材が砂利である場合には、Ｖ´ｏｇは上記しきい値に達しないため、コンパレータ５からの出力はオフのままとされて、ランプ７は消灯されたままとなる。
【００３４】
したがって、コンクリート製造設備に車両等で搬送された骨材を骨材受入ホッパ３に投入した時点で、作業者が上記本発明の骨材判別装置のランプ７を確認すれば、該ランプ７の点灯時には骨材が砂であることを確認でき、一方、上記ランプ７が消灯しているときには、骨材が砂利であることを容易に確認できることから、作業者は確認された骨材の種別に応じて従来と同様に操作盤を操作することにより、思い違いを起こすことなく砂と砂利をそれぞれ正しい貯蔵槽へ分配して貯留させることができる。
【００３５】
更に、上記コンパレータ５からの出力のオン、オフに基づいて、図４に示したと同様の骨材分配機構１１を自動制御させるようにしてもよい。
【００３６】
すなわち、たとえば、上記コンパレータ５からの出力がある場合には、上記と同様にランプ７を点灯させると共に、該コンパレータ５からの出力に基づいて、図４に示した骨材分配機構１１のシャトルコンベヤ１８を、その移送先が砂貯蔵槽１６となるように配置させるようにし、一方、上記コンパレータ５からの出力がない場合には、図４に示した上記骨材分配機構１１のシャトルコンベヤ１８を、その移送先が砂利貯蔵槽１５となるように配置させるように制御させるようにする。
【００３７】
このようにすれば、コンクリート製造設備へ車両等により搬送された骨材が砂である場合には、該砂が骨材受入ホッパ３に投入された時点で、上記と同様にして比較的大きな誘電率を備えてなる砂がセンサＳに接触させられることに伴って、コンパレータ５からの出力がオンにされると、図４に示した上記骨材分配機構１１のシャトルコンベヤ１８は、その投入先が砂貯蔵槽１６となるように自動的に配置させられることから、上記砂は、ベルトコンベヤ１７にて移送された後、シャトルコンベヤ１８より砂貯蔵槽１６へ自動的に投入させることができ、一方、骨材が砂利の場合には、比較的誘電率の小さい砂利がセンサＳに接触させられることに伴って、コンパレータ５からの出力がオフとされると、図４の骨材分配機構１１のシャトルコンベヤ１８は、その投入先が砂利貯蔵槽１５となるように配置させられ、このため、上記砂利は、ベルトコンベヤ１７にて移送された後、シャトルコンベヤ１８より砂利貯蔵槽１５へ自動的に投入させることができる。したがって、この場合には、骨材の骨材受入ホッパ３への投入後における骨材分配機構による砂貯蔵槽若しくは砂利貯蔵槽への骨材の分配を自動化できて、作業者の手間を削減できると共に、作業者の勘違いや操作ミス等の人為的なミスを確実に防止できる。
【００３８】
更に、上記のような人為的なミスに加えて、上記骨材判別装置や図４の骨材分配機構１１等の機械的な誤動作、故障が生じた場合にも、骨材受入ホッパ３に投入された砂や砂利が、貯蔵槽へ誤投入されることを防止できるようにするために、たとえば、従来と同様に、作業者が操作盤で砂や砂利を指定させるようにすると同時に、上記骨材判別装置によっても骨材受入ホッパ３に投入された骨材が砂又は砂利のいずれであるかを判別させ、該判別結果と、上記作業者の指示が相違する場合には、図４の骨材分配機構１１による骨材の振り分け移送を一時停止させて、作業者に上記骨材受入ホッパ３に受けられた骨材が砂又は砂利のいずれであるかの再確認を行わせるようにしてもよい。
【００３９】
このように、上記本発明の骨材判別装置によれば、コンクリート製造設備の骨材受入ホッパ３に、車両等で搬送された骨材が投入された時点で、該骨材が砂利であるか或いは砂であるかを、両者の含水率の差に応じた誘電率の相違によってセンサＳに生じる静電容量の大小に基づいて直ちに判別することができる。しかも、上記骨材判別装置の構成要素の一つであるセンサＳは、骨材受入ホッパ３に投入される骨材と接触することから、耐久性を得ることができるよう電極１ａ，１ｂを耐摩耗性の樹脂２に封入するようにしているが、この耐摩耗性樹脂２に封入した電極１ａ，１ｂは比較的容易に製造でき、その他の構成要素である交流電源Ｐ、負荷抵抗Ｒ、オペアンプ６、コンパレータ５等については、市販の安価な汎用部材を使用できるため、製造コストを安価なものとすることができる。
【００４０】
なお、本発明は上記実施の形態のみに限定されるものではなく、センサＳは、骨材受入ホッパ３内に投入される骨材が接触するようにして、電極１ａ，１ｂ間に上記骨材の有する誘電率に基づいた静電容量を生じさせることができるようにすれば、骨材受入ホッパ３にボルト４で固定する以外に、嵌め込み式や吊下げ式等、その設置方法は自在に決定してよいこと、骨材分配機構として、ターンヘッド式等、シャトルコンベヤ方式以外のいかなる形式の骨材分配機構を備えたコンクリート製造設備の骨材受入ホッパ３へも適用できること、その他本発明の要旨を逸脱しない範囲内において種々変更を加え得ることは勿論である。
【００４１】
【発明の効果】
以上述べた如く、本発明の骨材判別装置によれば、骨材受入ホッパの内壁部所要位置に、骨材が砂利又は砂のいずれであるかを検出するセンサを設け、該センサの検出値に基づいて、上記骨材が砂利又は砂のいずれであるかを判別するようにしてなる構成としてあるので、以下の如き優れた効果を発揮する。
（１）  骨材受入ホッパに、車両等で搬送された骨材が投入された時点で、骨材が砂利又は砂のいずれかであるかを判別することができ、この際、センサを、２つの絶縁電極を備えた構成とし、骨材の誘電率の違いを静電容量として検出するようにすることにより、骨材が砂利であるか或いは砂であるかを、両者の含水率の差に応じた誘電率の相違によってセンサに生じる静電容量の大小に基づいて直ちに判別することができる。
（２）  センサと負荷抵抗とを交流電源に直列に接続してなる回路を備えて、上記負荷抵抗の両端に生じる電圧を基に骨材が砂利又は砂のいずれであるかを判別するようにした構成とすることにより、骨材の誘電率に基づいてセンサの各絶縁電極間に生じる静電容量を、該静電容量に比例する電圧に変換することができるため、上記静電容量の大小を基にして実施する上記骨材が砂であるか砂利であるかの判定を容易に行うことが可能になる。
（３）  上記センサは、２つの電極を絶縁できるよう耐摩耗性樹脂に封入することにより比較的容易に製造でき、その他の構成要素である交流電源、負荷抵抗、コンパレータ等については、市販の安価な汎用部材を使用できるため、製造コストを安価なものとすることができる。
（４）  負荷抵抗の両端に生じる電圧を、所定のしきい値と比較することにより出力のオン、オフを切り換えるコンパレータを備えた構成とすることにより、骨材の誘電率に基づいてセンサの各絶縁電極間に生じる静電容量に比例するよう変換した電圧を、しきい値と比較して２値化し、出力のオン又はオフとして発現させることができるため、上記静電容量の大小に基づく電気的な信号を取り出すことができることから、上記骨材が砂であるか、砂利であるかに応じて、砂或いは砂利判別用のランプや、コンクリート製造設備における骨材分配機構等を電気的に制御することが可能になる。
【図面の簡単な説明】
【図１】本発明の骨材判別装置の実施の一形態を示すもので、（イ）は骨材受入ホッパへのセンサの設置状態を示す概略斜視図、（ロ）は回路構成を示す概要図である。
【図２】図１の装置におけるセンサを拡大して示すもので、（イ）は正面図、（ロ）は側面図である。
【図３】本発明の骨材判別装置にて骨材を判別する原理を説明するための回路図である。
【図４】コンクリート製造設備における骨材分配機構の一例を示す概要図である。
【図５】従来提案されている骨材の判別装置の一例を示す概要図である。
【符号の説明】
Ｓ  センサ
Ｒ  負荷抵抗
Ｐ  交流電源
１ａ，１ｂ  絶縁電極
３  骨材受入ホッパ
５  コンパレータ
１３  骨材
【図１】
2004301590.tif 000007
【図２】
2004301590.tif 000008
【図３】
2004301590.tif 000009
【図４】
2004301590.tif 000010
【図５】
2004301590.tif 000011